(57)【特許請求の範囲】
【請求項１】
少なくとも2つの家具部品（2,3）を互いに連結するための家具ヒンジ（4）であって、
家具部品（2,3）に固定され、互いに回動可能に連結された少なくとも2つの固定部（5,6）と、ここで、固定部（5,6）は、閉じた位置と開いた位置との間で相対的に動くことができる、
固定部（5,6）を完全に閉じた位置および/または完全に開いた位置に押圧するためのバネ装置（21）と、
固定部（5,6）の相対運動を減衰させるためのダンピング装置（22）と、
を備え、
ここで、バネ装置（21）は、ダンピング装置（22）と一体化されている、
ここで、ダンピング装置（22）は、少なくとも1つのピストン（26）が移動可能に配置された流体チャンバ（28）を含む、
ここで、ダンピング装置（22）およびバネ装置（21）は、それぞれ第1および第2ハウジング部（23a、23b）内に収納され、第1および第2ハウジング部（23a、23b）は互いに摺動可能に設けられている、
更に、ここで、流体チャンバ（28）は、第1ハウジング部（23a）の中に形成されていることを特徴とする家具ヒンジ。
【請求項２】
ダンピング装置（22）は、少なくとも1つの、リニアダンパを含むことを特徴とする請求項１に記載の家具ヒンジ。
【請求項３】
ダンピング装置（22）は、少なくとも1つの、油圧式のリニアダンパを含むことを特徴とする請求項２に記載の家具ヒンジ。
【請求項４】
バネ装置（21）は、少なくとも1つのコイルバネを含むことを特徴とする請求項１〜３のいずれか一項に記載の家具ヒンジ。
【請求項５】
バネ装置（21）は、少なくとも1つの圧縮バネを含むことを特徴とする請求項４に記載の家具ヒンジ。
【請求項６】
第1ハウジング部（23a）と第2ハウジング部（23b）とは、バネ装置（21）の力によって、相対的に張力を受けることを特徴とする請求項１〜５のいずれか一項に記載の家具ヒンジ。
【請求項７】
ピストン（26）はピストンロッド（27）に接続され、ピストンロッド（27）の自由端は、第2ハウジング部（23b）のストッパ（29）に固定されていることを特徴とする請求項１〜６のいずれか一項に記載の家具ヒンジ。
【請求項８】
第1ハウジング部（23a）にはホルダ（24a）が設けられ、ホルダ（24a）に家具ヒンジ（4）のヒンジピン（17）を収容することを特徴とする請求項１〜７のいずれか一項に記載の家具ヒンジ。
【請求項９】
ホルダ（24a）はヒンジピン（17）を取り囲むことを特徴とする請求項８に記載の家具ヒンジ。
【請求項１０】
ホルダ（24a）はヒンジピン（17）を完全に取り囲むことを特徴とする請求項８に記載の家具ヒンジ。
【請求項１１】
ヒンジピン（17）は、家具ヒンジ（4）の少なくとも第1及び第2ヒンジレバー（10a、10b）を互いに接続することを特徴とする請求項８〜１０のいずれか一項に記載の家具ヒンジ。
【請求項１２】
第1ヒンジレバー（10a）は中間部材（8）に回転可能に接続され、中間部材（8）は、家具ヒンジ（4）の動きに常に結合され、第2ヒンジレバー（10b）は固定部（5,6）の1つに回転可能に接続されていることを特徴とする請求項１１に記載の家具ヒンジ。
【請求項１３】
第2ハウジング部（23b）は、圧着部（14）を含む、ここで、固定部（5,6）が相対的に動いたとき、圧着部（14）は、輪郭設定部（15）の少なくとも所定の領域に沿って移動可能であることを特徴とする請求項１〜１２のいずれか一項に記載の家具ヒンジ。
【請求項１４】
圧着部（14）は、圧着ローラ（14b）であることを特徴とする請求項１３に記載の家具ヒンジ。
【請求項１５】
輪郭設定部（15）は、固定部（5,6）の1つに設けられていることを特徴とする請求項１３又は１４に記載の家具ヒンジ。
【請求項１６】
圧着部（14）は、ボルト（12）に設けられ、ボルト（12）は、家具ヒンジ（4）の動きに応じて、ヒンジレバー（10a、10b）のガイド（11）に沿って移動可能に設けられていることを特徴とする請求項１３〜１５のいずれか一項に記載の家具ヒンジ。
【請求項１７】
第1固定部（5）は、ヒンジアーム（5a）を含み、第2固定部（6）は、ヒンジカップ（6a）を含むことを特徴とする請求項１〜１６のいずれか一項に記載の家具ヒンジ。
【発明の詳細な説明】
【技術分野】
【０００１】
本発明は、少なくとも２つの家具部品を互いに連結するための家具ヒンジに関し、次の物を含む。
【０００２】
−家具部品に固定されるための、互いに回動可能に連結された少なくとも２つの固定部。ここで、固定部は、閉じた位置と開いた位置との間で相対的に動くことができる。
【０００３】
−固定部を閉じた位置および/または開いた位置に押圧するためのバネ装置。
【０００４】
−固定部の相対運動を減衰させるためのダンピング装置。ここで、バネ装置は、ダンピング装置と一体化されている。
【発明の概要】
【０００５】
国際公開ＷＯ２０１０／１２４９４６Ａ１は、家具ヒンジのためのダンピング装置が開示されている。ピストンは、ハウジングの内部空間内に移動可能に配置されている。ピストンへの圧力を作用させるために、ピストンロッドが設けられている。ピストンロッドはハウジングから突出しており、連結部材を介して家具ヒンジのヒンジピンに連結されている。ヒンジの動きに応じて、ピストンロッドは、可動なヒンジピンを介して押し込まれる。これにより、ヒンジの動きは制動を受けた態様で行われる。家具ヒンジを完全に閉じた位置に押すために、バネを用いた閉鎖機構（国際公開ＷＯ２０１０／１２４９４６Ａ１には示されていない）を設ける必要がある。しかしながら、このような閉鎖機構の追加の配置は、設置空間の増大および追加の設置作業をもたらす。バネ装置とダンピング装置が共通の構造ユニットに一体化されたヒンジ継手は、例えば、ＡＴ５２９０Ｕ１、ＥＰ２３３６４６７Ａ１、ＡＴ４１３７２８Ｂ、ＵＳ６，３２７，４５７Ｂ１およびＵＳ２００４／００４０１１８Ａ１に記載されている。
【発明が解決しようとする課題】
【０００６】
本発明の目的は、よりコンパクトな構造を有する上述したタイプの家具ヒンジを提供することにある。
【課題を解決するための手段】
【０００７】
この目的は、本願の特許請求の範囲の請求項1の特徴によって達成される。本発明のさらなる有利な構成は、本願の従属請求項に定義される。
【０００８】
本発明によれば、ダンピング装置およびバネ装置が第１および第２ハウジング部に収納される。ここで、第１および第２ハウジング部は相対的に動くことができるため、相対的に可動に設けられている。
【０００９】
固定部の相対的な動きが行われる際、２つのハウジング部は、所定の方向に沿って直線的に変位する動きをすることができる。このようにして、家具ヒンジの非常にコンパクトな設計が達成される。なお、ハウジング部は、湾曲動作を発生しない。
【００１０】
好ましくは、第１ハウジング部および第２ハウジング部は、バネ装置の力によって互いに緊張状態にある。例えば、第１ハウジング部と第２ハウジング部は、バネ装置の力に抗して互いに圧縮された状態で取り付けられている。
【００１１】
家具ヒンジを終端位置に移動させるためのスプリング装置と、ヒンジ運動を減衰させるためのダンピング装置とは、共通の機能的構造ユニット内に共同して収容されている。したがって、家具ヒンジは、単一のコンパクトな構造ユニットにより、閉じる動きと減衰機能の両方を備えることができる。なお、構造ユニットは、既存の家具ヒンジに後付けすることも可能である。このようにして、家具ヒンジにバネ装置やダンピング装置を別個に配置したり取り付けることが無くなる。
【００１２】
バネ装置は、当然、家具ヒンジが確実にバネ力によって全閉位置および／または全開位置に押圧されるように大きさ等を決めるべきである。バネ装置は、例えば、少なくとも１つのコイルばね、好ましくは圧縮ばねを含む。別の実施形態として、引っ張りバネ、ねじりバネ、または板バネを用いてもよい。
【００１３】
ダンピング装置は、少なくとも１つの、好ましくは油圧式のリニアダンパを含むことができる。このようなリニアダンパは、通常、ピストンシリンダユニットを有する。シリンダとピストンとの間の相対運動は、減衰媒体（特に油圧）によって減衰させることができる。リニアダンパの代わりに、互いに回転可能な２つの減衰部材を備えた回転ダンパを用いてもよい。
【図面の簡単な説明】
【００１４】
【図１】家具のカーカスとそれに対して動くことができる家具部品とを有する家具のアイテムの斜視図。
【図２ａ】家具ヒンジの斜視図。
【図２ｂ】家具ヒンジの拡大詳細図。
【図３】図２ａ、２ｂに示す家具ヒンジの分解図。
【図４ａ】家具ヒンジが閉じられる過程を示す経過図。
【図４ｂ】家具ヒンジが閉じられる過程を示す経過図。
【図４ｃ】家具ヒンジが閉じられる過程を示す経過図。
【図４ｄ】家具ヒンジが閉じられる過程を示す経過図。
【図５ａ】共通の構造ユニットの斜視図。
【図５ｂ】共通の構造ユニットの断面図。
【図５ｃ】共通の構造ユニットの分解図。
【発明を実施するための形態】
【００１５】
図１は、家具カーカス２を備えた家具１の斜視図を示す。ドアの形の可動家具部品３は、家具カーカス２に対して家具ヒンジ４を介して垂直に延びる軸の周りに旋回可能に支持されている。家具ヒンジ４は、家具カーカス２に固定されるヒンジアーム５ａ（図２ａ）を備えた第１固定部５と、可動家具部３に固定されるヒンジカップ６ａ（図２ａ）を備えた第２固定部６を有する。ヒンジカップ６ａは、動くことができる家具部品３に設けられた円筒形の凹部内に嵌め込まれている。また、ヒンジカップ６ａは、ジョイント機構を介して第１固定部５に回動自在に連結されている。
【００１６】
図２ａは、家具ヒンジ４の斜視図を示す。家具ヒンジ４は、ヒンジアーム５ａを備えた第１固定部５を含む。ヒンジアーム５ａは、バネ付勢されたラッチレバー７によって取付板に着脱可能に係止され、家具カーカス２に固定される。ヒンジアーム５ａには、家具部３に形成した円筒状の凹部に嵌め込まれるヒンジカップ６ａを備えた第２固定部６がジョイント機構を介して接続されている。ヒンジカップ６ａは、フランジ１６を介して可動家具部品３に固定することができる。フランジ１６は、ねじの通過のための開口１６ａを有する。図示の実施形態では、家具ヒンジ４は、最大約１７０°の開き角度を有する広角ヒンジで構成される。この目的のために、ヒンジ運動が可能になるよう、中間部材８が設けられている。中間部材８は、一方の端はレバー９を介してヒンジアーム５ａに枢動可能に接続され、他方の端はヒンジカップ６ａに枢動可能に接続されている。ジョイント機構はさらに、ヒンジピン１７によって互いに連結された２つのヒンジレバー１０ａおよび１０ｂを含む。第１ヒンジレバー１０ａは、ピボット軸１３を介してヒンジアーム５ａに旋回可能に接続され、さらに、ピボット軸３４を介して中間部材８に旋回可能に接続されている。第２ヒンジレバー１０ｂはヒンジカップ６ａに枢動可能に連結されている。第１ヒンジレバー１０ａは、ガイド１１（好ましくはスロット状の凹部）を有し、そこに差し込まれるボルト１２の動きを制限する。ボルト１２には、圧着部１４（好ましくは、ボルト１２の回りに環回して支持された圧着ローラ１４ａ）が配置されている。圧着ローラ１４ａで構成される圧着部１４は、ヒンジ４の動きに伴って、少なくとも輪郭設定部１５の輪郭に沿った領域にわたって移動することができる。図示された実施形態では、輪郭設定部１５は、ヒンジアーム５ａに配置され形成される。圧着ローラ１４ａで構成される圧着部１４は、共通構造ユニット２５（図３）の一部を形成する。共通構造ユニット２５によって、家具ヒンジ４はバネ部材２１（図３）の力によって全閉位置および／または全開位置に動くことができる。家具ヒンジ４の閉じた位置および／または開いた位置への動きは、ダンピング装置２２（図３）によって減衰させることができる。輪郭設定部１５の輪郭の幾何学的形状を選択することにより、バネ力を受けたときの開始動作、進行中の動作、および終わりの動作、ならびに減衰力を、様々な態様で決定することができる。図２ｂは、図２ａに示す家具ヒンジ４の拡大詳細図を示す。
【００１７】
図３は、家具ヒンジ４の分解図を示す。ヒンジアーム５ａを有する固定部５は、ベースプレート１８に接続することができる。ヒンジアーム５ａは、調整ホイール２０の回転によりベースプレート１８の長手方向にベースプレート１８に対して調整可能である。調整ホイール２０は、ベースプレート１８の突起１９と相互作用する。中間部材８は、一方端では、レバー９を介してヒンジアーム５ａに枢動可能に接続され、他方端ではヒンジカップ６ａにヒンジ結合されている。中間部材８は、ヒンジアーム５ａの一種の延長部として機能し、家具ヒンジ４のより大きな開き角を得ることができる。第１ヒンジレバー１０ａは、ヒンジアーム５ａに対してピボット軸１３の周りに旋回可能に取り付けられ、ヒンジピン１７を介して第２ヒンジレバー１０ｂに接続される。第２ヒンジレバー１０ｂの他端は、ヒンジカップ６ａにヒンジ結合されている。
【００１８】
家具ヒンジ４を全閉位置および／または開位置に動かすバネ装置２１と、家具ヒンジ４の動きを減衰させるためのダンピング装置２２とが共通構造ユニット２５内に収容されている。バネ装置２１は、好ましくは、少なくとも１つの圧縮バネを含む。共通構造ユニット２５は、２つのハウジング部２３ａ，２３ｂを有する。２つのハウジング部２３ａ，２３ｂは、互いに変位可能であり、バネ装置２１の力に抗して互いに圧縮可能である。第１ハウジング部２３ａには、ヒンジピン１７を収納するホルダ２４ａが設けられている。ヒンジピン１７は、２つのヒンジレバー１０ａ、１０ｂを互いに回動可能に連結する。第２ハウジング部２３ｂには、ボルト１２を収納するためのホルダ２４ｂが設けられている。ボルト１２は、圧着ローラ１４ａで構成される圧着部１４を支持する。ホルダ２４ａ、２４ｂは、円柱状のヒンジピン１７とボルト１２とをそれぞれ完全に取り囲むように構成されている。なお、ホルダ２４ａ、２４ｂは、クランプ状に構成されてもよく、その結果、ホルダ２４ａ、２４ｂはヒンジピン１７およびボルト１２を部分的に取り囲むだけでもよい。このようにすることにより、共通構造ユニット２５は、欠陥が見つかった場合や、改良された場合に交換することができる。ダンピング装置２２とバネ装置２１とが一体的になって組み込まれた共通構造ユニット２５は、一方端ではヒンジピン１７と相互作用し、他方端では圧着ローラ１４ａを介してヒンジアーム５ａの輪郭設定部１５と相互作用する。家具ヒンジ４の動きに際して、ヒンジピン１７は、圧着部１４と共に、第１ヒンジレバー１０ａのガイド１１に沿って変位することができる。このヒンジ運動により、第１ハウジング部２３ａは、第２ハウジング部２３ｂに対して、好ましくはテレスコープ式に移動可能である。バネ装置２１によって生じる固定部５，６間の互いに対する加速度をダンピング装置２２により減衰させることができる。
【００１９】
図４ａ〜図４ｄは、固定部５，６が互いに異なった位置にある場合の家具ヒンジ４を示す。図４ａは、家具ヒンジ４が完全に開いた状態（約１７０°）が示されており、ここでは中間部材８と２つのヒンジレバー１０ａ、１０ｂは完全に伸張した状態にある。共通構造ユニット２５（図３）が見えるように示されており、この共通の構造ユニット２５には、バネ装置２１とダンピング装置２２とが共同して設けられている。第１ハウジング部２３ａはヒンジピン１７に支持されている。第１ハウジング部２３ａは、ヒンジ４の動きと連動する。第１ハウジング部２３ａは、第２ハウジング部２３ｂ内にテレスコープ式に摺動する。ここで、第１および第２ハウジング部２３ａ、２３ｂは、圧縮バネ装置２１の力によって互いに離間方向に緊張されている。第１ハウジング部２３ａ内には、少なくとも１つの流体チャンバ２８が形成されており、その中にピストン２６が移動可能に挿入されている。ピストン２６に連結されたピストンロッド２７は、第２ハウジング部２３ｂを通過し、第２ハウジング部２３ｂのストッパ２９に固定される。第２ハウジング部２３ｂは、ヒンジアーム５ａに配置された輪郭設定部１５に沿って走行する圧着ローラ１４ａを回転可能に支持するためのボルト１２を有する。図４ａに示すように、ピストン２６は、第１ハウジング部２３ａ内に完全に奥に押し込まれ、減衰ストロークのための準備位置に配置されている。したがってダンピング装置２２は伸張力に対抗している。閉じる過程のほぼ全域にわたり、輪郭設定部１５は、圧着ローラ１４ａに接触する面の部分がヒンジピン１７に対して等距離になるように形成されている。すなわち、輪郭設定部１５は、家具ヒンジ４の閉じる過程の大部分においてピストン２６と流体チャンバ２８との間に相対運動がないように構成されているので、その間、減衰作用も発生しない。
【００２０】
図４ｂは、図４ａの場合と比較して、開いた角度が小さくなった場合の家具ヒンジ４を示す。圧着ローラ１４は、ヒンジアーム５ａの輪郭設定部１５に沿って走行するので、ピストン２６と流体チャンバ２８との間に相対運動はなく、減衰作用は生じない。
【００２１】
図４ｃは、図４ｂの場合と比較して、開いた角度がより小さくなった場合の家具ヒンジ４を示す。閉じる過程の最後の領域では、圧着ローラ１４ａは輪郭設定部１５の谷間部分３３と相互作用する。ここで、谷間部分３３は、ヒンジピン１７より大きな相対的間隔を有する。ここで、圧着ローラ１４ａが谷間部分３３に到達すると、２つのハウジング部２３ａ、２３ｂは、圧縮バネ装置２１の力で離間する方向に押される。そのため、家具ヒンジ４は、バネ装置２１の力によって完全に閉じた方向に付勢される。ここでピストン26（ピストンロッド27の一端が第2ハウジング部２３ｂに固定されている）が第１ハウジング部２３ａの流体チャンバ２８から引き出される方向に動く。この場合、ピストン２６は、流体チャンバ２８内に充填された制動流体（例えば、シリコーン油）の抵抗によって減衰される。このピストン２６のブレーキ作用により、家具ヒンジ４の最終の閉じた位置への動きを減衰させることができる。図４ｄは、家具ヒンジ４が完全に閉じた位置にある状態をしめす。家具ヒンジ４がバネ装置２１の力によって全開位置の方向に押し戻される場合、輪郭設定部１５のそのような谷間部分３３はその領域にも配置される必要があり、その場合、図４ａに示す位置にある圧着ローラ１４ａは、輪郭設定部１５と相互作用する。家具ヒンジ４に作用する力の調整に加えて、輪郭設定部１５は、また、ダンピング装置２２の伝達比も決定する。
【００２２】
図５ａは、共通構造ユニット２５の斜視図で示している。ダンピング装置２２は第１ハウジング部２３ａに収納され、バネ装置２１は第２ハウジング部２３ｂに収納される。２つのハウジング部２３ａ、２３ｂは、バネ装置２１の力に抗して互いに押し縮めることができる。ホルダ２４ａは、家具ヒンジ４のヒンジピン１７を収容するためのものであり、ホルダ２４ｂは、圧着ローラ１４ａで構成される圧着部１４を支持するために設けられている。
【００２３】
図５ｂは、共通構造ユニット２５の断面図を示す。第１ハウジング部２３ａ内には、直線的に移動可能なピストン２６が配置された少なくとも１つの流体チャンバ２８が設けられている。ピストン２６には、バネで負荷されたボールで構成される過負荷保護装置３７が設けられている。バネの負荷を受けるボールは、ピストン２６に作用する圧力が過度に加えられると、ピストン２６の過負荷通路を解放し、それにより急速減圧を可能にする。ピストン２６に連結されたピストンロッド２７は、第２ハウジング部２３ｂを通過し、第２ハウジング部２３ｂのストッパ２９に固定される。ピストンロッド２７のストッパ２９への固定は、ピストンロッド２７の幅広ヘッド３９によって行われる。すなわち、幅広ヘッド３９はディスク３５によってストッパ２９上に保持されると共に、圧縮バネ装置２１の力によって保持される。流体チャンバ２８は、キャップ３６によって流体漏れがないように密閉されている。キャップ３６は、また、バネ装置２１のガイドまたは支持部として機能する。流体チャンバ２８には、制限された可動シール３０と補償バネ３２を備えた容積補償装置が配置されている。補償バネ３２は、変形することによって異なる容積を占める。これは、ピストンロッド２７の変位から生じる。
【００２４】
図５ｃは、共通構造ユニット２５を分解図で示している。ピストンロッド２７の幅広ヘッド３９は、ディスク３５によって保持されると共に、バネ装置２１の力によって、第２ハウジング部２３ｂのストッパ２９（図５ｂ）に保持される。バネ装置２１の他端は、リング形状の支持ディスク３８を押圧する。支持ディスク３８は、第１ハウジング部２３ａの前面４０に当接する。従って、ハウジング部２３ａ，２３ｂは、バネ装置２１の力に抗して互いに押し縮めることができる。
【図１】
0006495455.tif 000002
【図２ａ】
0006495455.tif 000003
【図２ｂ】
0006495455.tif 000004
【図３】
0006495455.tif 000005
【図４ａ】
0006495455.tif 000006
【図４ｂ】
0006495455.tif 000007
【図４ｃ】
0006495455.tif 000008
【図４ｄ】
0006495455.tif 000009
【図５ａ】
0006495455.tif 000010
【図５ｂ】
0006495455.tif 000011
【図５ｃ】
0006495455.tif 000012